(57)【要約】【課題】操作者の面倒な操作を必要とすることなく、無線タグから取得した情報に基づく各種情報処理を迅速かつ簡単に行う。【解決手段】情報読み取り機能付き情報端末装置１０は、名刺に関わる第１情報を記憶した無線タグＴ１と、名刺の宛先に対して実行するメール送信に関わる第２情報を記憶した無線タグＴ２とに対し、無線通信を介して情報送受信を行うあためのアンテナ１３０とを有し、このアンテナ１３０を介し、無線タグＴ１，Ｔ２にそれぞれ記憶された第１情報及び第２情報をそれぞれ取得し、取得した第１情報及び第２情報に基づき、名刺データの宛先に対し、メール送信処理を実行する。【選択図】図８
2008242970.tif 000002
【特許請求の範囲】
【請求項１】
処理対象に関わる第１情報を記憶した処理対象用無線タグと、前記処理対象に対して実行する所定の情報処理に関わる第２情報を記憶した処理用無線タグとに対し、無線通信を介して情報送受信を行う通信手段と、
前記通信手段を介し、前記処理対象用無線タグ及び前記処理用無線タグにそれぞれ記憶された前記第１情報及び前記第２情報をそれぞれ取得する情報取得手段と、
前記情報取得手段で取得した前記第１情報及び前記第２情報に基づき、前記第１情報に関わる前記処理対象に対し、前記第２情報に関わる前記所定の情報処理を実行する情報処理手段と
を有することを特徴とする情報読み取り機能付き情報端末装置。
【請求項２】
請求項１記載の情報読み取り機能付き情報端末装置において、
前記通信手段は、
複数の前記処理対象用無線タグと、前記１つの処理用無線タグとに対し、無線通信を介し情報送受信を行い、
前記情報取得手段は、
前記通信手段を介し、前記複数の処理対象用無線タグにそれぞれ記憶された前記第１情報と、前記複数の処理対象に対して実行する１つの前記所定の情報処理に関する前記第２情報とを取得し、
前記情報処理手段は、
前記複数の第１情報に関わる複数の前記処理対象のそれぞれに対し、前記第２情報に関わる前記所定の情報処理を実行する
ことを特徴とする情報読み取り機能付き情報端末装置。
【請求項３】
請求項１又は請求項２記載の情報読み取り機能付き情報端末装置において、
前記情報処理手段は、
前記情報取得手段における前記第１情報の取得時期と前記第２情報の取得時期との時間差が所定範囲内であったときに、前記第１情報に関わる前記処理対象に対し、前記第２情報に関わる前記所定の情報処理を実行する
ことを特徴とする情報読み取り機能付き情報端末装置。
【請求項４】
請求項１乃至請求項３のいずれか１項記載の情報読み取り機能付き情報端末装置において、
前記通信手段は、
処理操作者に関わる第３情報を記憶した操作者タグに対し、無線通信を介し情報送受信を行い、
前記情報取得手段は、
前記通信手段を介し、前記操作者タグに記憶された前記第３情報を取得し、
前記情報処理手段は、
前記第１情報に関わる前記処理対象に対し、前記第３情報を関連づけた形で、前記第２情報に関わる前記所定の情報処理を実行する
ことを特徴とする情報読み取り機能付き情報端末装置。
【請求項５】
請求項１乃至請求項４のいずれか１項記載の情報読み取り機能付き情報端末装置において、
前記通信手段を介し前記情報取得手段で取得した情報を記憶する記憶手段を設け、
前記通信手段は、前記記憶手段に記憶された情報のうち少なくとも一部を読み取り不能化するための第４情報を記憶した不能化タグに対し、無線通信を介し情報送受信を行い、
前記情報取得手段は、前記通信手段を介し、前記不能化タグに記憶された前記第４情報を取得し、
前記情報取得手段で取得された前記第４情報に基づき、前記記憶手段に記憶された情報のうち、対応する情報を前記読み取り不能化する不能化処理手段を設けた
ことを特徴とする情報読み取り機能付き情報端末装置。
【請求項６】
請求項５記載の情報読み取り機能付き情報端末装置において、
前記不能化処理手段は、
前記情報取得手段での前記第４情報取得時における、前記通信手段を介した前記不能化タグとの通信時間の長短に応じて、前記読み取り不能化対象の情報を読み取り不能化する対象を決める
ことを特徴とする情報読み取り機能付き情報端末装置。
【請求項７】
請求項１乃至請求項６のいずれか１項記載の情報読み取り機能付き情報端末装置において、
前記通信手段は、
前記第１情報として少なくとも提供者の氏名及び連絡先情報を備えた前記処理対象としての情報カードに設けられた、前記処理対象用無線タグとしてのカードタグに対し、前記情報送受信を行い、
前記情報取得手段は、
前記カードタグに記憶された前記連絡先情報を少なくとも取得し、
前記情報処理手段は、
前記情報取得手段で取得した前記連絡先情報に対応する情報アクセス先に対し、前記第２情報に関わる前記所定の情報処理を実行する
ことを特徴とする情報読み取り機能付き情報端末装置。
【請求項８】
請求項１乃至請求項７のいずれか１項記載の情報読み取り機能付き情報端末装置において、
前記通信手段は、
前記第２情報として、電子メール送信処理、電子メール添付処理、ファクス送信処理、電話発信処理、ホームページ閲覧処理のうちいずれかの処理に関わる電子処理情報を記憶した前記処理用無線タグとしての電子処理タグに対し、前記情報送受信を行い、
前記情報取得手段は、
前記電子処理タグに記憶された前記第１情報と前記電子処理情報とを少なくとも取得し、
前記情報処理手段は、
前記情報取得手段で取得した前記第１情報に関わる前記処理対象に対し、前記所定の情報処理として、前記電子処理情報に対応した電子メール送信処理、電子メール添付処理、ファクス送信処理、電話発信処理、ホームページ閲覧処理のいずれかを実行する
ことを特徴とする情報読み取り機能付き情報端末装置。
【請求項９】
請求項８記載の情報読み取り機能付き情報端末装置において、
前記情報処理手段は、
前記ファクス送信処理として、有線又は無線の通信回線を介して接続されたファクス装置に対し、前記処理対象に対するファクス送信指令信号を出力するか、
若しくは、
前記電話発信処理として、有線又は無線の通信回線を介して接続された電話機に対し、前記処理対象に対する電話発信指令信号を出力する
ことを特徴とする情報読み取り機能付き情報端末装置。
【請求項１０】
処理対象に関わる第１情報を記憶した処理対象用無線タグと、
前記処理対象に対して実行する所定の情報処理に関わる第２情報を記憶した処理用無線タグと、
前記処理対象無線タグ及び前記処理用無線タグに対し、無線通信を介して情報送受信を行う通信手段と、
前記通信手段を介し、前記処理対象用無線タグ及び前記処理用無線タグにそれぞれ記憶された前記第１情報及び前記第２情報をそれぞれ取得する情報取得手段と、
前記情報取得手段で取得した前記第１情報及び前記第２情報に基づき、前記第１情報に関わる前記処理対象に対し、前記第２情報に関わる前記所定の情報処理を実行する情報処理手段と
を有することを特徴とする情報システム。
【請求項１１】
請求項１０記載の情報システムにおいて、
処理操作者に関わる第３情報を記憶した操作者タグを有し、
前記通信手段は、
前記操作者タグに対し、無線通信を介し情報送受信を行い、
前記情報取得手段は、
前記通信手段を介し、前記操作者タグに記憶された前記第３情報を取得し、
前記情報処理手段は、
前記第１情報に関わる前記処理対象に対し、前記第３情報を関連づけた形で、前記第２情報に関わる前記所定の情報処理を実行する
ことを特徴とする情報システム。
【発明の詳細な説明】
【技術分野】
【０００１】
本発明は、無線タグに対して非接触で情報の読み取りを行う情報読み取り機能付き情報端末装置及び情報システムに関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
例えば名刺に無線タグを適用した従来技術として、特許文献１に記載のものがある。この従来技術では、名刺に設けた無線タグ回路素子に記憶された無線タグ情報が、当該名刺に記載された連絡先情報を含んでおり、リーダで当該無線タグ回路素子より無線タグ情報の読み取りを行うと、自動的にリーダにてその連絡先情報の内容を表示する。そして、操作者がその表示された内容の連絡先を確認後、所定のキー操作を行うことによって、リーダに接続された電話、ファクス機、パソコン等が当該連絡先に対し各種情報処理（電話発信、ファクス送信、メール送信等）を行うようになっている。
【０００４】
【特許文献１】特開２００２−１８３６９３号公報
【発明の開示】
【発明が解決しようとする課題】
【０００５】
しかしながら、上記従来技術では、名刺の無線タグにアクセスして連絡先データの取得を行った後、その名刺をいったん置いて（あるいは収納して）、連絡先が正しいかどうかの確認や（電話発信、ファクス送信、メール送信等の）各種情報処理の選択等をいちいち手操作で指定する必要があった。このため、操作者にとって面倒で煩わしい手間が避けられず、利便性の点で難があった。
【０００６】
本発明の目的は、操作者の面倒な操作を必要とすることなく、無線タグから取得した情報に基づく各種情報処理を迅速かつ簡単に行える情報読み取り機能付き情報端末装置、及び情報システムを提供することにある。
【課題を解決するための手段】
【０００７】
上記目的を達成するために、第１の発明は、処理対象に関わる第１情報を記憶した処理対象用無線タグと、前記処理対象に対して実行する所定の情報処理に関わる第２情報を記憶した処理用無線タグとに対し、無線通信を介して情報送受信を行う通信手段と、前記通信手段を介し、前記処理対象用無線タグ及び前記処理用無線タグにそれぞれ記憶された前記第１情報及び前記第２情報をそれぞれ取得する情報取得手段と、前記情報取得手段で取得した前記第１情報及び前記第２情報に基づき、前記第１情報に関わる前記処理対象に対し、前記第２情報に関わる前記所定の情報処理を実行する情報処理手段とを有することを特徴とする。
【０００８】
本願第１発明の情報端末装置においては、通信手段が、処理対象用無線タグ及び処理用無線タグと無線通信を行う。すると、情報取得手段が、処理対象用無線タグに記憶された処理対象に関わる第１情報と、処理用無線タグに記憶された所定の情報処理に関わる第２情報とを取得する。そして、このようにして取得された第１情報及び第２情報に基づき、情報処理手段が、処理対象に対して所定の情報処理を実行する。
【０００９】
このように、２つの無線タグから情報読み取りを行うだけで、対応する処理対象に対する処理を自動的に行うことができる。したがって、複雑な操作を必要とすることなく、種々の情報処理を迅速かつ簡単に行うことができる。
【００１０】
第２発明は、上記第１発明において、前記通信手段は、複数の前記処理対象用無線タグと、前記１つの処理用無線タグとに対し、無線通信を介し情報送受信を行い、前記情報取得手段は、前記通信手段を介し、前記複数の処理対象用無線タグにそれぞれ記憶された前記第１情報と、前記複数の処理対象に対して実行する１つの前記所定の情報処理に関する前記第２情報とを取得し、前記情報処理手段は、前記複数の第１情報に関わる複数の前記処理対象のそれぞれに対し、前記第２情報に関わる前記所定の情報処理を実行することを特徴とする。
【００１１】
これにより、複数の処理対象用無線タグからの読み取りにより取得した複数の処理対象に対し、自動的に所定の情報処理をそれぞれ行うことができる。
【００１２】
第３発明は、上記第１又は第２発明において、前記情報処理手段は、前記情報取得手段における前記第１情報の取得時期と前記第２情報の取得時期との時間差が所定範囲内であったときに、前記第１情報に関わる前記処理対象に対し、前記第２情報に関わる前記所定の情報処理を実行することを特徴とする。
【００１３】
情報処理手段が、所定時間範囲内における第１情報と第２情報とを結びつけて認識し、情報処理を行う。この時間範囲にある程度の幅を持たせることで、操作者が余裕を持って読み取り操作を行うことができ、操作性が向上する。また時間範囲に上限を適宜定めることで、本来無関係である（別々の操作で読み取られた）第１情報と第２情報とを誤って結びつけて処理するのを防止することもできる。
【００１４】
第４発明は、上記第１乃至第３発明のいずれかにおいて、前記通信手段は、処理操作者に関わる第３情報を記憶した操作者タグに対し、無線通信を介し情報送受信を行い、前記情報取得手段は、前記通信手段を介し、前記操作者タグに記憶された前記第３情報を取得し、前記情報処理手段は、前記第１情報に関わる前記処理対象に対し、前記第３情報を関連づけた形で、前記第２情報に関わる前記所定の情報処理を実行することを特徴とする。
【００１５】
これにより、処理対象に対して自動的に所定の情報処理を行うとき、その処理を行った操作者情報等を併せて関連づけることができる。
【００１６】
第５発明は、上記第１乃至第４発明のいずれかにおいて、前記通信手段を介し前記情報取得手段で取得した情報を記憶する記憶手段を設け、前記通信手段は、前記記憶手段に記憶された情報のうち少なくとも一部を読み取り不能化するための第４情報を記憶した不能化タグに対し、無線通信を介し情報送受信を行い、前記情報取得手段は、前記通信手段を介し、前記不能化タグに記憶された前記第４情報を取得し、前記情報取得手段で取得された前記第４情報に基づき、前記記憶手段に記憶された情報のうち、対応する情報を前記読み取り不能化する不能化処理手段を設けたことを特徴とする。
【００１７】
これにより、操作者の操作ミスによって誤って読み取らせてしまった情報については、そのまま処理することなく、処理をキャンセルすることができる。
【００１８】
第６発明は、上記第５発明において、前記不能化処理手段は、前記情報取得手段での前記第４情報取得時における、前記通信手段を介した前記不能化タグとの通信時間の長短に応じて、前記読み取り不能化対象の情報を読み取り不能化する対象を決めることを特徴とする。
【００１９】
本願第６発明の情報端末装置においては、操作者が、不能化タグによる通信時間を長短適宜に設定する。この設定に応じて、既に操作者が既に読み取らせてしまった情報のうち、どの部分までの処理をキャンセルするかを所望に調整することができる。
【００２０】
第７発明は、上記第１乃至第６発明のいずれかにおいて、前記通信手段は、前記第１情報として少なくとも提供者の氏名及び連絡先情報を備えた前記処理対象としての情報カードに設けられた、前記処理対象用無線タグとしてのカードタグに対し、前記情報送受信を行い、前記情報取得手段は、前記カードタグに記憶された前記連絡先情報を少なくとも取得し、前記情報処理手段は、前記情報取得手段で取得した前記連絡先情報に対応する情報アクセス先に対し、前記第２情報に関わる前記所定の情報処理を実行することを特徴とする。
【００２１】
これにより、カードタグともう１つの処理用無線タグとから情報読み取りを行うだけで、情報カードに記載の連絡先に対し、例えばメール送信、ファクス送信、電話発信、ホームページ閲覧等の各種処理を自動的に行うことができる。
【００２２】
第８発明は、上記第１乃至第７発明のいずれかにおいて、前記通信手段は、前記第２情報として、電子メール送信処理、電子メール添付処理、ファクス送信処理、電話発信処理、ホームページ閲覧処理のうちいずれかの処理に関わる電子処理情報を記憶した前記処理用無線タグとしての電子処理タグに対し、前記情報送受信を行い、前記情報取得手段は、前記電子処理タグに記憶された前記第１情報と前記電子処理情報とを少なくとも取得し、前記情報処理手段は、前記情報取得手段で取得した前記第１情報に関わる前記処理対象に対し、前記所定の情報処理として、前記電子処理情報に対応した電子メール送信処理、電子メール添付処理、ファクス送信処理、電話発信処理、ホームページ閲覧処理のいずれかを実行する
ことを特徴とする。
【００２３】
これにより、電子処理タグともう１つの処理対象用無線タグとから情報読み取りを行うだけで、第１情報に基づく関連する処理対象に対し、メール送信、メール添付、ファクス送信、電話発信、ホームページ閲覧等の各種電子処理を自動的に行うことができる。
【００２４】
第９発明は、上記第８発明において、前記情報処理手段は、前記ファクス送信処理として、有線又は無線の通信回線を介して接続されたファクス装置に対し、前記処理対象に対するファクス送信指令信号を出力するか、若しくは、前記電話発信処理として、有線又は無線の通信回線を介して接続された電話機に対し、前記処理対象に対する電話発信指令信号を出力することを特徴とする。
【００２５】
これにより、電子処理タグともう１つの処理対象用無線タグとから情報読み取りを行うだけで、第１情報に基づく関連する処理対象に対し、情報端末装置とは別のファクス装置からのファクス送信や、情報端末装置とは別の電話機からの電話発信を自動的に行うことができる。
【００２６】
上記目的を達成するために、第１０の発明は、処理対象に関わる第１情報を記憶した処理対象用無線タグと、前記処理対象に対して実行する所定の情報処理に関わる第２情報を記憶した処理用無線タグと、前記処理対象無線タグ及び前記処理用無線タグに対し、無線通信を介して情報送受信を行う通信手段と、前記通信手段を介し、前記処理対象用無線タグ及び前記処理用無線タグにそれぞれ記憶された前記第１情報及び前記第２情報をそれぞれ取得する情報取得手段と、前記情報取得手段で取得した前記第１情報及び前記第２情報に基づき、前記第１情報に関わる前記処理対象に対し、前記第２情報に関わる前記所定の情報処理を実行する情報処理手段とを有することを特徴とする。
【００２７】
本願第１０発明の情報システムにおいては、通信手段が、処理対象用無線タグ及び処理用無線タグと無線通信を行う。すると、情報取得手段が、処理対象用無線タグに記憶された処理対象に関わる第１情報と、処理用無線タグに記憶された所定の情報処理に関わる第２情報とを取得する。そして、このようにして取得された第１情報及び第２情報に基づき、情報処理手段が、処理対象に対して所定の情報処理を実行する。
【００２８】
このように、２つの無線タグから情報読み取りを行うだけで、対応する処理対象に対する処理を自動的に行うことができる。したがって、複雑な操作を必要とすることなく、種々の情報処理を迅速かつ簡単に行うことができる。
【００２９】
第１１発明は、上記第１０発明において、処理操作者に関わる第３情報を記憶した操作者タグを有し、前記通信手段は、前記操作者タグに対し、無線通信を介し情報送受信を行い、前記情報取得手段は、前記通信手段を介し、前記操作者タグに記憶された前記第３情報を取得し、前記情報処理手段は、前記第１情報に関わる前記処理対象に対し、前記第３情報を関連づけた形で、前記第２情報に関わる前記所定の情報処理を実行することを特徴とする。
【００３０】
これにより、処理対象に対して自動的に所定の情報処理を行うとき、その処理を行った操作者情報等を併せて関連づけることができる。
【発明の効果】
【００３１】
本発明によれば、操作者の面倒な操作を必要とすることなく、無線タグから取得した情報に基づく各種情報処理を迅速かつ簡単に行うことができる。
【発明を実施するための最良の形態】
【００３２】
以下、本発明の一実施の形態を図面を参照しつつ説明する。
【００３３】
図１は、本実施形態の情報読み取り機能付き情報端末装置を表す概略図である。
【００３４】
図１において、情報読み取り機能付き情報端末装置１０は、情報端末（ＰＣ端末、又は汎用コンピュータ。以下、「ＰＣ」と記載）２００と、ＰＣ２００に接続された（リーダ／ライタ。以下、「リーダ」と記載）１００とから構成されている。
【００３５】
ＰＣ２００は、操作者に対し表示を行うための表示部２０１と、操作者が例えば文書の作成・編集等の作業を行うために操作入力を行うための適宜のボタン、キー、キーボート等からなる操作部２０２とを有している（別途図示しないマウスを接続してもよい）。リーダ１００は、ＰＣ２００の操作部２０２に接続手段（例えばＵＳＢケーブル）１０３を介して接続されている。
【００３６】
図２は、上記ＰＣ２００の詳細機能を表す機能ブロック図である。
【００３７】
図２において、ＰＣ２００は、上記操作部２０２と、上記表示部２０１と、各種アプリケーションソフトやデータベース、電子ファイル等が格納されるハードディスク２０３と、上記リーダ１００との間で上記ケーブル１０３を介して行われる通信の制御を行うインターフェース制御部２０４と、これら表示部２０１、操作部２０２、ハードディスク２０３、及びインターフェース制御部２０４を含むＰＣ２００全体の動作を制御する制御回路２０５とを有する。制御回路２０５には、ＲＡＭ等のメモリ２０５Ａが設けられている。
【００３８】
図３は、上記リーダ１００の外観を表す斜視図である。
【００３９】
図３において、このリーダ１００は、情報が読み取られるカード（処理対象カードと処理用カード等。後述）を載置する情報読み取り部１０１Ａを上面に形成した筐体１０１を備える。
【００４０】
図４は、上記リーダ１００と、処理対象カードＡと処理用カードＢとの通信の様子を概念的に表す機能ブロック図である。
【００４１】
図４において、リーダ１００は、アンテナ１３０（通信手段）と、このアンテナ１３０に接続されるとともにＰＣ２００にも接続される制御部１２０とを有している。リーダ１００は、情報読み取り部１０１Ａに載置された、読み取り対象の処理対象カードＡの無線タグＴ１（カードタグ、処理対象用無線タグ）に備えられた無線タグ回路素子Ｔo（詳細は後述）と、処理用カードＢの無線タグＴ２（処理用無線タグ）に備えられた無線タグ回路素子Ｔo（詳細は後述）とに対して、アンテナ１３０を介し、無線通信を行う。そして、リーダ１００は、上記無線タグＴ１，Ｔ２それぞれの無線タグ回路素子Ｔoに記憶された情報を読み取り、所定の情報処理を実行するようになっている（詳細は後述）。なお、この例では、無線タグＴ１，Ｔ２は、カードＡ，Ｂに例えば貼付することにより設けられるが、これに限られず、添付・同梱等でもよい。要は関連して取り扱われれば足りるものである。
【００４２】
図５は、上記リーダ１００の読み取り（スキャン）対象である上記処理対象カードＡ、処理用カードＢの無線タグＴ１，Ｔ２に備えられる無線タグ回路素子Ｔoの機能的構成の一例を表す機能ブロック図である。
【００４３】
図５において、無線タグ回路素子Ｔoは、リーダ１００のアンテナ１３０と所定周波数（例えばＵＨＦ帯等の高周波等）を用いて非接触で信号の送受信を行うアンテナ１５１(タグ側アンテナ)と、このアンテナ１５１に接続されたＩＣ回路部１５０とを有している。
【００４４】
ＩＣ回路部１５０は、アンテナ１５１により受信された質問波を整流する整流部１５２と、この整流部１５２により整流された質問波のエネルギを蓄積しＩＣ回路部の駆動電源とするための電源部１５３と、上記アンテナ１５１により受信された質問波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４５】
変復調部１５６は、アンテナ１５１により受信された上記情報読み取り装置１００のアンテナ１３０からの通信信号の復調を行うと共に、上記制御部１５７からの返信信号に基づき、アンテナ１５１が受信した質問波を変調し、アンテナ１５１より応答波として再送信する。
【００４６】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４７】
クロック抽出部１５４は受信した信号からクロック成分を抽出して制御部１５７にクロックを抽出するものであり、受信した信号のクロック成分の速度に対応したクロックを制御部１５７に供給する。
【００４８】
図６は、リーダ１００に備えられた前述の制御部１２０の機能的構成の詳細を表す機能ブロック図である。
【００４９】
図６において、制御部１２０は、ＣＰＵ（中央演算装置）１２１と、上記ケーブル１０３を介した信号授受の制御を行うインタファーフェース制御部１２２と、例えばＲＡＭやＲＯＭからなるメモリ１２３と、アンテナ１３０を介し上記無線タグ回路素子Ｔoとの通信制御を行う通信制御部１２４と、データベースを有する記憶装置１２８とを備えている。
【００５０】
記憶装置１２８のデータベースには、各種アプリケーションソフトを起動させるための起動用情報がアプリケーションテーブルの形で収納されている（後述）。なお、アプリケーションソフト自体は、前述のＰＣ２００のハードディスク２０３のデータベースに収納されており、上記起動用情報をリーダ１００から受信することによってＰＣ２００が対応するアプリケーションを起動するようになっている。
【００５１】
図７は、上記通信制御部１２４及びアンテナ１３０の詳細構成を表す機能ブロック図である。
【００５２】
図７において、通信制御部１２４は、上記アンテナ１３０を介して上記無線タグ回路素子ＴoのＩＣ回路部１５０にアクセスして、識別情報等の各種情報を読み取ったり、各種情報を書き込む指令を出力したりする処理を行うための、高周波回路として機能する送信部２１２及び受信部２１３と、送受分離器２１４とを備えている。
【００５３】
送信部２１２は、ＣＰＵ１２１からの制御信号に応じ、無線タグ回路素子ＴoのＩＣ回路部１５０の無線タグ情報にアクセスする(読み取り／書き込みを行う)ための搬送波を発生させる水晶振動子２１５Ａ、ＣＰＵ１２１の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ１２１から供給される信号に基づいて上記搬送波発生部により発生させられた搬送波を変調（この例ではＣＰＵ１２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１２１からの「ＴＸ＿ＰＷＲ」信号によって増幅率を決定される増幅）する増幅率可変送信アンプ２１７とを備えている。そして、上記搬送波発生部により発生される搬送波は、例えば短波帯、ＵＨＦ帯、マイクロ波帯等の周波数を用いており、上記送信アンプ２１７の出力は、送受分離器２１４を介しアンテナ１３０に伝達されて、無線タグ回路素子ＴoのＩＣ回路部１５０に供給される。なお、無線タグ情報は上記のように変調した信号に限られず、単なる搬送波のみの場合もある。
【００５４】
受信部２１３は、アンテナ１３０で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１３０で受信された無線タグ回路素子Ｔoからの反射波と上記発生された後に移相器２２７により位相が９０°遅れた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１２１に入力されて処理される。
【００５５】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１２１に入力されるようになっている。このように、この例では、通信制御部１２４では、Ｉ−Ｑ直交復調によって無線タグ回路素子Ｔoからの反射波（応答波）の復調が行われる。
【００５６】
ＣＰＵ１２１は、無線タグ回路素子ＴoのＩＣ回路部１５０から取得した信号を処理して前述の識別情報（タグＩＤ）等を読み出すとともに、無線タグ回路素子ＴoのＩＣ回路部１５０に対するアクセス情報を生成する機能を有する。
【００５７】
図８は、本実施形態におけるリーダ１００の情報読み取り部１０１Ａによる情報読み取りを説明するための説明図である。
【００５８】
図８において、リーダ１００の情報読み取り部１０１Ａには、操作者により、処理対象カードＡ（この例では名刺カードＡ１。なおその他診察券、会員カード等の各種情報カードでもよい）と、処理用カードＢ（この例ではメールカードＢ１）との２種類が載置されている。
【００５９】
名刺カードＡ１は、無線タグＴ１（カードタグ）の無線タグ回路素子Ｔoに、処理対象である名刺に係わる第１情報が記憶されたカードである。第１情報としては、氏名、会社名、所属名、電話番号、ファクス番号（以上、連絡先情報）や、これに対応したホームページＵＲＬ、メールアドレス等の情報（以上、情報アクセス先）を含む、一般的な名刺データである。なお、このデータそのものでなく、これに関連づけられた（ひも付けられた）識別情報（タグＩＤ）であってもよい。この場合は、無線タグ回路素子Ｔoから当該タグＩＤを取得した後、このタグＩＤをキーとしてリーダ１００内又はＰＣ２００若しくはそれ以外に配置された適宜のデータベース等にアクセスし、そのデータベースに格納された上記名刺データを取得するようにすれば足りる。
【００６０】
メールカードＢ１は、無線タグＴ２（電子処理タグ）の無線タグ回路素子Ｔoに、処理対象である上記名刺に対し実行する情報処理に係わる電子処理情報が第２情報として記憶されたカードである。電子処理情報としては、例えばメール送信ソフト（アプリケーション）を起動させるように関連づけられた（ひも付けられた）無線タグ回路素子Ｔoの識別情報（タグＩＤ）である。後述するように、無線タグ回路素子Ｔoから当該タグＩＤを取得した後、このタグＩＤをキーとして記憶装置１２８のデータベースにアクセスし、そのデータベースに格納されたテーブル（後述）を元にアプリケーション起動用情報を取得し、これを用いてＰＣ２００に予め格納された上記アプリケーションを起動させる。なお、第２情報として、上記メール送信ソフトそのものを記憶し、これをリーダ１００で取得してＰＣ２００において起動するようにしてもよい。
【００６１】
図９は、上記のようにして無線タグ回路素子Ｔoに記憶された情報のデータ構成の一例を概念的に表す図であり、図９（ａ）は、名刺カードＡ１の場合、図９（ｂ）は、メールカードＢ１の場合である。
【００６２】
図９（ａ）において、名刺カードＡ１の無線タグＴ１に備えられた無線タグ回路素子Ｔoには、タグ識別情報であるタグＩＤと、処理対象である名刺に係わる第１情報（すなわち名刺に記載された氏名、会社名、所属名、メールアドレス、ホームページＵＲＬ、電話、ファクスの名刺データ）とが記憶されている。
【００６３】
図９（ｂ）において、メールカードＢ１の無線タグＴ２に備えられた無線タグ回路素子Ｔoには、第１情報に対して実行するメール（情報処理）に係わる第２情報としてのタグＩＤである。すなわちこの例では、前述のようにこのタグＩＤがメール送信ソフトのアプリケーションに対し関連付けられている。
【００６４】
なお、上記無線タグ回路素子Ｔoに記憶された情報（タグ情報）は、リーダ１００に読み取られた後、制御部１２０に設けられたメモリ１２３に一旦記憶される。
【００６５】
図１０は、リーダ１００の制御部１２０内の記憶装置１２８のデータベースに収容された、前述タグＩＤとアプリケーションソフトとの対応関係を表すアプリケーションテーブルを表す図である。
【００６６】
前述したように、アプリケーションソフトは、ＰＣ２００のハードディスク２０３のデータベースに収容されている。図１０において、タグＩＤは、所定の（この例ではＡから始まる複数桁の）数値列で表わされ、アプリケーションソフトと１対１に関連付けられている。リーダ１００は、処理用カードＢの無線タグＴ２よりタグＩＤ（図９（ｂ）参照）を取得すると、このテーブルを参照して対応するアプリケーションソフト（メール送信ソフト、ホームページ閲覧用ソフト、ＩＰ電話発信用ソフト、ＦＡＸ送信用ソフト）の起動を指示する指示信号を生成出力し、ケーブル１０３を介してＰＣ２００に対し対応するアプリケーションソフトの起動を指示する（ファクス送信については後述の変形例のファクス機２６０も参照）。前述の例ではメールカードＢ１の無線タグ回路素子ＴoにタグＩＤ「Ａ０００１０００」が記憶されており、これによってＰＣ２００においてメール送信ソフトが起動される。
【００６７】
図１１は、リーダ１００によって処理対象カードＡ及びメールカードＢのタグ情報を読み取る際の制御部１２０内のＣＰＵ１２１が行う制御手順を表すフローチャートである。
【００６８】
図１１において、操作者がリーダ１００の情報読み取り部１０１Ａ上に処理対象カードＡ、処理用カードＢを置くことによりフローが開始される。まず、ステップＳ１０において、通信制御部１２４およびアンテナ１３０を介しカードＡ，Ｂの無線タグＴ１，Ｔ２の各無線タグ回路素子Ｔoに対する呼びかけ信号を出力して無線通信による信号送受を行い、カードＡ，Ｂの各無線タグ回路素子ＴoのＩＣ回路部１５０に格納されているそれぞれのタグＩＤ等を含む無線タグ情報を読み取って取得する（情報取得手段）。
【００６９】
具体的には「ＴＸ＿ＡＳＫ」信号を生成し送信乗算回路２１６に出力することで送信乗算回路２１６で対応する振幅変調が行われアクセス情報としての上記呼びかけ信号となる一方、「ＴＸ＿ＰＷＲ」信号を生成し増幅率可変送信アンプ２１７に出力することで増幅率可変送信アンプ２１７でその「ＴＸ＿ＰＷＲ」信号に基づく増幅率で信号増幅が行われ、最終的にアンテナ１３０を介し送信される。このようにして、対象である無線タグＴの無線タグ回路素子Ｔoからの返信を促し、上記無線タグ情報を含む応答信号（応答波）を受信する。
【００７０】
その後、ステップＳ２０に移り、上記ステップＳ１０での応答信号受信結果に応じ、処理用カードＢのタグＩＤと処理対象カードＡのタグＩＤの読み取りができたか否かを判定する。２つのタグＩＤが読み取られた場合、判定が満たされ、次のステップＳ３０へ移る。このとき読み取りで取得されたタグＩＤを含むタグ情報は、一旦メモリ１２３に記憶される。
【００７１】
ステップＳ３０においては、処理用カードＢから取得したタグＩＤをキーとして上記アプリケーションテーブルを参照し、対応するアプリケーション起動用情報を取得する。前述の例では、読み取られたタグＩＤ「Ａ０００１０００」に対応したメール送信ソフト起動用情報を取得する。
【００７２】
その後、ステップＳ４０において、ステップＳ３０で取得したアプリケーション起動用情報をＰＣ２００に送信（指示）し、このフローを終了する。これによりＰＣ２００では、ハードディスク２０３内のデータベースのアプリケーションソフト（前述の例ではメール送信ソフト）を起動する（情報処理手段）。
【００７３】
一方、上記ステップＳ２０において、２つのタグＩＤが読み取られなかった場合は判定が満たされず、ステップＳ５０に移る。ステップＳ５０では、ステップＳ１０でのタグＩＤの読み取り開始から所定時間経過したか否かを判定し、所定時間経過したと判定された場合はステップＳ１０に戻り、タグＩＤの読み取り以下の同様な手順を繰り返す。すなわち、所定時間経過までは２つのタグＩＤの読み取り試行が継続されることとなる。ステップＳ５０において、タグＩＤの読み取り開始から所定時間経過したと判定された場合は、次のステップＳ６０に移る。
【００７４】
ステップＳ６０においては、タグＩＤの読み取り開始から所定時間経過しても２つのタグＩＤが読み取られなかった結果を受けてエラー表示のための信号を出力し、このフローを終了する。これにより、ＰＣ２００では、表示部２０１に所定のエラー表示を行う。
【００７５】
図１２は、上記フローによる処理を実行したときのステップＳ４０においてＰＣ２００の表示部２０１に表示された画面の一例を表す図である。この例では、処理対象カードＡとして名刺カードＡ１を用い、処理用カードＢとして上記メールカードＢ１を用い、前述のようにしてＰＣ２００に備えたメール送信ソフトが起動された場合を例にとって示している。
【００７６】
図１２において、ＰＣ２００の表示部２０１にはメールのメッセージ作成画面が開かれ、メッセージ作成画面には名刺カードＡ１の無線タグＴ１の読み取りにより取得した名刺宛先人の氏名（この例では「鈴木一夫」。なお、アドレス表示でもよい）などの連絡先情報が自動的に表示されている。したがって、操作者はＰＣ２００の操作部２０２を用いて、このメッセージ作成画面において件名を書き込み（図示の例では「今期開発商品」が書き込まれている）、メッセージ本文を書き込むだけで送信用のメールを作成することができる。そして、操作部２０２を介し「送信」ボタンを操作するだけで、名刺宛先人にメールを送信することができる。
【００７７】
以上説明したように、本実施形態の情報読み取り機能付き情報端末装置１０では、無線タグＴ１を有する処理対象カードＡ（この例では名刺カードＡ１）と無線タグＴ２を有する処理用カードＢ（この例ではメールカードＢ１）が載置されると、リーダ１００のアンテナ１３０を介し無線タグＴ１，Ｔ２にそれぞれ記憶された第１情報（この例では名刺データ）及び第２情報（この例ではメール送信ソフト起動用情報に関連づけられたタグＩＤ）を取得する。そして、取得したこれらの情報に基づき、名刺データの宛先に対し、情報処理としてのメール作成及び送信を実行する。
【００７８】
すなわち、本実施形態によれば、名刺カードＡ１とメールカードＢ１の２つの無線タグＴ１，Ｔ２から情報の読み取りを行うだけで、対応する名刺データの宛先に対する送信メール作成を自動的に行い、その後送信が可能である。これにより、複雑な操作を必要とすることなく、情報処理（この例ではメール作成及び送信処理）を迅速かつ簡単に行うことができる。
【００７９】
また本実施形態では特に、図１１のフローにおいてステップＳ１０→ステップＳ２０→ステップＳ５０→ステップＳ１０→…の繰り返しを実行することで、カードＡ，Ｂの無線タグ回路素子Ｔoからそれぞれ取得される情報の取得時期の時間差が所定時間範囲内である場合に限り、ステップＳ３０を経てステップＳ４０でアプリケーション（上記の例ではメール送信ソフト）を起動するようにしている。このように、時間範囲にある程度の幅を持たせることで、操作者が余裕を持って読み取り操作を行うことができ、操作性が向上する。また時間範囲に上限を適宜定めることで、本来無関係である（別々の操作で読み取られた）カードＡからの第１情報とカードＢからの第２情報とを誤って結びつけて処理するのを防止することもできる。
【００８０】
以上では、処理対象として１人の宛先人に対し情報処理としてメールを送信する場合を説明したが、本発明は、上記実施形態に限られるものではない。すなわち処理対象を複数にしたり、また処理対象に対する情報処理としてホームページ閲覧、ＩＰ電話発信、ＦＡＸ送信などにする等、その趣旨及び技術思想を逸脱しない範囲で種々の変形が可能である。以下、そのような変形例を順を追って説明する。
【００８１】
（１）情報処理の操作者を明記する場合
図１３は、この変形例におけるリーダ１００の情報読み取り部１０１Ａによる情報読み取りを説明するための説明図であり、上記実施形態の図８に対応する図である。
【００８２】
図１３において、リーダ１００の情報読み取り部１０１Ａに、名刺カードＡ１及びメールカードＢ１の他に、操作者を表す本人カードＤが載置されている。
【００８３】
本人カードＤは、無線タグＴ３（操作者タグ）の上記無線タグ回路素子Ｔoに、処理操作者に関わる第３情報が記憶されている。第３情報としては、操作者の氏名等に係わる情報である。なお、この情報そのものでなく、これに関連づけられた（ひも付けられた）識別情報（タグＩＤ）であってもよい。この場合は、無線タグ回路素子Ｔoから当該タグＩＤを取得した後、このタグＩＤをキーとしてリーダ１００内又はＰＣ２００若しくはそれ以外に配置された適宜のデータベース等にアクセスし、そのデータベースに格納された上記操作者氏名等の情報を取得するようにすれば足りる。
【００８４】
リーダ１００によりアンテナ１３０を介し、上記名刺カードＡ１の無線タグＴ１、メールカードＢ１の無線タグＴ２、本人カードＤの無線タグＴ３にそれぞれ記憶された情報を取得することにより、上記のようにメール作成及び送信を行うとき、そのメール作成及び送信を行った操作者を明記する情報を付することができる。
【００８５】
図１４は、本変形例の処理を実行したときのＰＣ２００の表示部２０１に表示される画面の一例を表す図であり、上記実施形態の図１２に対応する図である。
【００８６】
図１４において、メールカードＢ１の無線タグＴ２から取得した第２情報に基づき前述のようにしてＰＣ２００に備えたメール送信ソフトが起動される。そして、ＰＣ２００の表示部２０１にメールのメッセージ作成画面が開かれ、メッセージ作成画面には名刺カードＡ１の無線タグＴ１から取得した名刺宛先人の氏名（アドレス表示でもよい）と、本人カードＤの無線タグＴ３から取得した送信者（操作者）の氏名（アドレス表示でもよい）が表示される。これにより、メールを送られる名刺宛先人のメール受信画面にメール送信を行った操作者を明記することができる。
【００８７】
（２）処理対象を複数とした場合
処理対象の名刺を１つ（すなわち宛先人を一人）としてメール送信を行うのに限られず、複数の名刺宛先人にメールを送信する場合である。
【００８８】
図１５は、本変形例におけるリーダ１００の情報読み取り部１０１Ａによる情報読み取りを説明するための説明図であり、上記図８や図１３に対応する図である。
【００８９】
図１５において、リーダ１００の情報読み取り部１０１Ａには、２つの名刺カードＡ１，Ａ２とメールカードＢ１が載置されている。
【００９０】
名刺カードＡ２は、名刺カードＡ１と同様、備えられた無線タグＴ１１の上記無線タグ回路素子Ｔoに処理対象である名刺に係わる第１情報が記憶されている。第１情報としては、前述と同様、氏名、会社名、所属名、電話、ファクス、ホームページＵＲＬ、メールアドレス等の名刺データ（またはこれに関連づけられたタグＩＤ）である。これにより、複数の無線タグＴ１，Ｔ１１から取得した複数の宛先に対するメールを自動的に作成し、メール送信を行うことができる。
【００９１】
図１６は、本変形例の処理を実行したときのＰＣ２００の表示部２０１に表示される画面の一例を表す図であり、上記図１２や図１４に対応する図である。
【００９２】
図１６において、メールカードＢ１の無線タグＴ２から取得した第２情報に基づき前述のようにしてＰＣ２００に備えたメール送信ソフトが起動される。そして、ＰＣ２００の表示部２０１にメールのメッセージ作成画面が開かれ、メッセージ作成画面には名刺カードＡ１，Ａ２の無線タグＴ１，Ｔ１１から取得した複数の名刺宛先人の氏名（アドレス表示でもよい）が表示される。これにより、複数の複数の宛先に対し自動的にメールを作成し、送信（一斉送信）を行うことができる（なお後述するファクス等を行う場合も同様にして複数の宛先に一斉送信するきことが可能である）。
【００９３】
（３）メール送信時に宛先人以外の対象も含める場合
すなわち、宛先人の他にメール参照人（例えば操作者の上司や宛先人の上司等の関係者等）にも（いわゆる「ＣＣ」欄を用いて）メールを送信するようにした場合である。
【００９４】
図１７は、本変形例におけるリーダ１００の情報読み取り部１０１Ａによる情報読み取りを説明するための説明図であり、上記図１５等に対応する図である。
【００９５】
図１７において、リーダ１００の情報読み取り部１０１Ａには、処理カードとしてメールＣＣ（カーボンコピー）カードＢ１′と、情報カードとして名刺カードＣが載置されている。
【００９６】
名刺カードＣは、前述の名刺カードＡ１，Ａ２と同様、備えられた無線タグＴ３の上記無線タグ回路素子Ｔoに、メール参照人の名刺に係わる情報が記憶されている。この情報としては、例えば上記の第１情報と同等の、氏名、会社名、所属名、電話、ファクス、ホームページＵＲＬ、メールアドレス等の名刺データ（又はこれに関連づけられたタグＩＤ）である。また、メールＣＣカードＢ１′には現在開かれているメール作成用ウインドに対して、同時に読み取られた名刺カードの情報を追加するように処理が結び付けられている。これにより、前述の（２）処理対象を複数とした場合に示す操作を行った後、図１７のような操作を行うことで、無線タグＴ３から取得した宛先の上記メール参照人がＣＣとして追加されたメールを自動的に作成し、メール送信を行うことができる。
【００９７】
図１８は、本変形例の処理を実行したときのＰＣ２００の表示部２０１に表示される表示画面を表す図であり、上記図１６等に対応する図である。
【００９８】
図１８において、メールカードＢ１の無線タグＴ２から取得した第２情報に基づき前述のようにしてＰＣ２００に備えたメール送信ソフトが起動される。そして、ＰＣ２００の表示部２０１にメールのメッセージ作成画面が開かれ、メッセージ作成画面には名刺カードＡ１，Ａ２の無線タグＴ１，Ｔ１１から取得した名刺宛先人の氏名（アドレス表示でもよい）と、名刺カードＣの無線タグＴ３から取得したメール参照者の氏名（アドレス表示でもよい）が表示される。これにより、名刺宛先人の他にメール参照人も含んだメールを自動的に作成し、送信を行うことができる。
【００９９】
（４）処理対象に対する情報処理を変更または中止する場合
すなわち、操作者が（カード間違い等により）誤って違うメール送信先を選択してしまったり、違う処理内容を選択してしまった場合などに、いったん行った操作の少なくとも一部を変更・中止できるようにしたものである。
【０１００】
図１９は、本変形例で使用するキャンセルカードＥに対しリーダ１００の情報読み取り部１０１Ａで情報読み取りを行う（キャンセル処理を行う）様子を説明するための説明図であり、上記実施形態の図８に対応する図である。
【０１０１】
例えば図８のようにして情報読み取り部１０１Ａに名刺カードＡ１及びメールカードＢ１を載置して無線タグＴ１，Ｔ２からタグ情報を読み取らせた後、操作者が名刺カードＡ１を意図した宛先人ではないと気がついた（名刺カードＡ１を間違えた）とき、図１９に表すように、情報読み取り部１０１ＡにキャンセルカードＥを載置して対処することができる。
【０１０２】
前述したように、名刺カードＡ１及びメールカードＢ１の読み取りで取得したタグ情報は、リーダ１００のメモリ１２３（記憶手段）に一旦記憶される。キャンセルカードＥに設けられた無線タグＴ４（不能化タグ）の無線タグ回路素子Ｔoには、上記メモリ１２３に記憶されたタグ情報のうちの少なくとも一部を読み取り不能化する情報が第４情報として記憶されている。なお、タグ情報の読み取り不能化処理としては、メモリ１２３に記憶されたタグ情報の消去処理や、メモリ１２３からの読み取りをロック処理、或いはパスワード化（所定のパスワードを入力した場合に限り読みとり可能とする）等の処理を行う（不能化処理手段）。第４情報は、このような各種処理を行うための指令（またはこれに前述のようにして関連づけられたタグＩＤでもよい）である。
【０１０３】
図２０（ａ）及び図２０（ｂ）は、本変形例の上記キャンセル処理を実行したときのＰＣ２００の表示部２０１に表示される表示画面の一例を表す図である。この変形例では、キャンセルカードＥを読み取り部１０１Ａの上に置いた時間の長短に応じて、取り消される操作を調整できるようになっている。
【０１０４】
すなわち、前述した図８のように名刺カードＡ１とメールカードＢ１とを読み取り部１０１Ａに載せた操作を行った後、比較的短い時間（所定のしきい値よりも短い時間）だけキャンセルカードＥを載せた場合、図２０（ａ）のように表示され、メールの宛先人のみを変更する処理となる。操作部２０２を介し「はい」ボタンを選択し操作することにより、読み込んだ宛先情報のみがキャンセルされる。この場合、メールカードＢ１によるメール作成及び送信の機能自体はキャンセルされないため、宛先を別の名刺カードＡ１を用いて再設定するか、手動入力することで当該再設定した宛先に対しメール作成及び送信を行うことができる。
【０１０５】
一方、図２０（ｂ）は、前述した図８のように名刺カードＡ１とメールカードＢ１とを読み取り部１０１Ａに載せた操作を行った後、比較的長い時間（所定のしきい値よりも長い時間）だけキャンセルカードＥを載せた場合である。この場合、図示のようにメール作成・送信自体を中止する処理となる。操作部２０２を介し「はい」ボタンを選択することにより、読み込んで起動したメール送信ソフト自体がキャンセルされ、閉じられる。
【０１０６】
このように、本変形例によれば、操作者の操作ミスによって違った名刺カードを誤って読み取らせてしまった情報については、そのまま処理することなく、処理をキャンセルすることができる。さらに、上記のようにキャンセルカードＥを読み取り部１０１Ａに載せる時間（言い換えれば無線タグＴ４との通信時間）を長短適宜に設定することにより、操作者が既に読み取らせてしまった情報のうち、どの部分までの処理をキャンセルするか（上記の例では宛先のみキャンセルか、メール作成・送信までキャンセルか）を所望に調整することができる。
【０１０７】
（５）情報処理としてファクスを送信する場合
以上においては、処理対象に対し情報処理としてメールを送信する場合を主として例にとって説明したが、これに限られるものではなく、例えば処理対象に対しファクスを送信する場合に適用してもよい。
【０１０８】
図２１は、本変形例における情報読み取り機能付き情報端末装置をファクス機とともに表す概略図である。図２１に表わされるように、本変形例では、ＰＣ２００の操作部２０２に、リーダ１００の他に、接続手段（ＵＳＢケーブル等）２６２を介してファクス機２６０が接続されている。
【０１０９】
図２２は、本変形例におけるリーダ１００の情報読み取り部１０１Ａによる情報読み取りを説明するための説明図である。
【０１１０】
図２２において、リーダ１００の情報読み取り部１０１Ａには、操作者により、名刺カードＡ１及び本人カードＣの他に処理用カードとしてのファクスカードＦが載置されている。
【０１１１】
ファクスカードＦは、無線タグＴ５（電子処理タグ、処理用無線タグ）の上記無線タグ回路素子Ｔoに、処理対象である上記名刺に対し実行する情報処理に係わる電子処理情報が第２情報として記憶されたカードである。電子処理情報としては、ファクス機２６０によるファクス送信を実行させるように関連づけられた（前述の図１０に示したアプリケーションテーブル参照）無線タグ回路素子Ｔoの識別情報（タグＩＤ）である。すなわち前述したように、無線タグ回路素子Ｔoから当該タグＩＤを取得した後、このタグＩＤをキーとして記憶装置１２８のデータベースにアクセスし、そのデータベースに格納された上記テーブルを元にアプリケーション起動用情報（この例ではファクス送信用情報、ファクス送信指令信号）を取得する。そして、これを用いてＰＣ２００に予め格納された上記アプリケーションを起動させ、接続されたファクス機２６０よりファクス送信を実行する。なお、第２情報として、上記ファクス送信ソフトそのものを記憶し、これをリーダ１００で取得してＰＣ２００において起動するようにしてもよい。
【０１１２】
図２３は、本変形例の処理を実行したときのＰＣ２００の表示部２０１に表示された画面の一例を表す図である。ファクスカードＦの無線タグＴ５から取得した上記第２情報に基づきＰＣ２００に備えたファクス送信ソフトが起動されると、ＰＣ２００の表示部２０１にファクスのメッセージ作成画面が開かれる。そして、メッセージ作成画面に、名刺カードＡ１の無線タグＴ１から取得した宛先人の氏名（この例では「鈴木一夫」）等の連絡先情報や、本人カードＤの無線タグＴ３から取得した送信人の氏名（この例では「山田二郎」）等が自動的に表示されている。したがって、操作者は、ＰＣ２００の操作部２０２を用いて、このメッセージ作成画面において件名を書き込み（図示の例では「今期開発商品」が書き込まれている）、ファクスメッセージの本文を書き込む（図示の例では「拝啓益々〜等の文章がすでに書き込まれている）だけで、送信用のファクス原稿を作成することができる。そして、操作部２０２を介し「ＦＡＸ」ボタンを操作するだけで、名刺宛先人にファクス原稿を送信することができる。なお、このとき、送信されるファクス原稿の確認、控え等のために、操作部２０２を介し「印刷」ボタンを操作することで、ファクス原稿を印刷出力することができる。図２４は、この出力されたファクス原稿を表す図である。
【０１１３】
本変形例によっても、上記実施形態や（１）〜（４）の変形例と同様の効果をファクス送信について得ることができる。なお、ファクス送信にも限られず、さらにホームページ閲覧やＩＰ電話発信（上記同様に有線又は無線の回線を介し電話機を接続し、電話機に対して電話発信指令信号を出力すればよい）に関しても同様に適用でき（前述の図１０参照）、この場合も同様の効果を得る。
【０１１４】
なお、以上においては、処理対象として名刺を例にとり、それに関わる第１情報として名刺データを例にとって説明したが、これに限られない。すなわち、ＪＰＥＧ画像等の画像を処理対象とし、その画像データＪＰＥＧ画像データ（またはそれに関連付けられたタグＩＤ）を第１情報として記憶してもよい。また、第２情報に関わる情報処理として、メール送信、ホームページ閲覧、ＩＰ電話発信、ファクス送信等を例に取って説明したが、さらにその他の処理（メールに添付）を行うようにし、これに関わる第２情報を処理用無線タグに記憶するようにしてもよい。
【０１１５】
また、以上において、各種アプリケーションソフトを起動させるための起動用情報をリーダ１００の記憶装置１２８のデータベースに持たせたが、これをＰＣ２００側で用意しても良い。この場合、リーダ１００からは無線タグ回路素子から読み取られたデータをそのままＰＣ２００に渡せば良い。
【０１１６】
また、以上において、無線タグ情報素子とリーダ１００との通信はＵＨＦ等の高周波を用いて行なわれたが、ＨＦ帯を用いた電磁誘導方式若しくはＬＦ帯を用いた静電誘導方式の通信を用いても良い。
【０１１７】
また、以上既に述べた以外にも、上記実施形態や各変形例による手法を適宜組み合わせて利用しても良い。
【０１１８】
その他、一々例示はしないが、本発明は、その趣旨を逸脱しない範囲内において、種々の変更が加えられて実施されるものである。
【図面の簡単な説明】
【０１１９】
【図１】本発明の一実施形態の情報読み取り機能付き情報端末装置を表す概略図である。
【図２】ＰＣの詳細機能を表す機能ブロック図である。
【図３】リーダの外観を表す斜視図である。
【図４】情報カードと無線タグ回路素子との通信の様子を概念的に表す図である。
【図５】無線タグ回路素子の機能的構成の一例を表すブロック図である。
【図６】制御部の機能的構成の詳細を表す機能ブロック図である。
【図７】通信制御部及びアンテナの詳細構成を表す機能ブロック図である。
【図８】リーダによる情報読み取りを説明するための説明図である。
【図９】無線タグに記憶された情報のデータ構成の一例を表す図である。
【図１０】タグＩＤとアプリケーションソフトの対応関係を表すアプリケーションテーブルを表す図である。
【図１１】リーダのＣＰＵが行う制御手順を表すフローチャートである。
【図１２】ＰＣの表示部の表示画面の一例を表す図である。
【図１３】操作者情報を付す変形例における情報読み取りを説明するための説明図である。
【図１４】ＰＣの表示部の表示画面の一例を表す図である。
【図１５】処理対象を複数とした変形例における情報読み取りを説明するための説明図である。
【図１６】ＰＣの表示部の表示画面の一例を表す図である。
【図１７】メール参照人にもメールを送る変形例における情報読み取りを説明するための説明図である。
【図１８】ＰＣの表示部の表示画面の一例を表す図である。
【図１９】情報処理を変更または中止する変形例における情報読み取りを説明するための説明図である。
【図２０】ＰＣの表示部の表示画面の例を表す図である。
【図２１】情報処理としてファクスを送信する変形例における情報読み取り機能付き情報端末装置を表す概略図である。
【図２２】情報読み取りの様子を表す説明図である。
【図２３】ＰＣの表示部の表示画面の一例を表す図である。
【図２４】図２３の表示画面を印刷して得られるファクス原稿を表す図である。
【符号の説明】
【０１２０】
１０        情報読み取り機能付き情報端末装置
１００      情報読み取り装置
１２３      メモリ（記憶手段）
１３０      アンテナ（通信手段）
１５０      ＩＣ回路部
１５１      アンテナ（タグ側アンテナ）
２００      ＰＣ（情報端末）
２０１      表示部
２６０      ファクス機
Ａ          処理対象カード
Ａ１，Ａ２  名刺カード（情報カード）
Ｂ          処理用カード
Ｂ１        メールカード
Ｂ１′      メールＣＣカード
Ｃ          名刺カード（情報カード）
Ｄ          本人カード
Ｅ          キャンセルカード
Ｆ          ファクスカード
Ｔ１        無線タグ（カードタグ、処理対象用無線タグ）
Ｔ１１      無線タグ（カードタグ、処理対象用無線タグ）
Ｔ２        無線タグ（電子処理タグ、処理用無線タグ）
Ｔ３        無線タグ（操作者タグ）
Ｔ４        無線タグ（不能化タグ）
Ｔ５        無線タグ（電子処理タグ、処理用無線タグ）
Ｔo         無線タグ回路素子
【図１】
2008242970.tif 000003
【図２】
2008242970.tif 000004
【図３】
2008242970.tif 000005
【図４】
2008242970.tif 000006
【図５】
2008242970.tif 000007
【図６】
2008242970.tif 000008
【図７】
2008242970.tif 000009
【図８】
2008242970.tif 000010
【図９】
2008242970.tif 000011
【図１０】
2008242970.tif 000012
【図１１】
2008242970.tif 000013
【図１２】
2008242970.tif 000014
【図１３】
2008242970.tif 000015
【図１４】
2008242970.tif 000016
【図１５】
2008242970.tif 000017
【図１６】
2008242970.tif 000018
【図１７】
2008242970.tif 000019
【図１８】
2008242970.tif 000020
【図１９】
2008242970.tif 000021
【図２０】
2008242970.tif 000022
【図２１】
2008242970.tif 000023
【図２２】
2008242970.tif 000024
【図２３】
2008242970.tif 000025
【図２４】
2008242970.tif 000026